(57)【特許請求の範囲】
【請求項１】
メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、
前記サブボディーが閉じられた状態でメッセージが受信されると、前記第１表示部にメッセージの受信を知らせるインジケータをディスプレイするステップと、
使用者の外部ディスプレイの要求に応じて、前記第１表示部に前記受信されたメッセージをスライディングさせつつディスプレイするステップとからなり、
前記受信されたメッセージが所定数のバイトずつシフトして移動されると共に、
前記第１表示部に前記受信されたメッセージをスライディングさせつつディスプレイするとき、前記受信されたメッセージに連続して、前記第１表示部にメッセージ受信時間及び発信者電話番号をスライディングさせつつディスプレイすることを特徴とするメッセージディスプレイ方法。
【請求項２】
前記使用者の外部ディスプレイ要求は、前記折り畳みタイプ移動端末機の外部に備えられたキーを押すことにより受信されることを特徴とする請求項１記載の前記方法。
【請求項３】
使用者の外部ディスプレイ解除要求に応じて前記第１表示部に元来の情報をディスプレイするステップをさらに備えることを特徴とする請求項１記載の前記方法。
【請求項４】
前記使用者の外部ディスプレイ解除要求は、前記折り畳みタイプ移動端末機の外部に備えられたキーを押すことによって受信されることを特徴とする請求項３記載の前記方法。
【請求項５】
メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、
前記サブボディーが閉じられた状態でメッセージが受信されると、前記第１表示部にメッセージの受信を知らせるインジケータをディスプレイするステップと、
使用者の外部ディスプレイ要求に該当するキー入力が受信されると、前記第１表示部の第１ラインに前記受信されたメッセージをスライディングさせつつディスプレイし、前記第１表示部の第２ラインにメッセージ受信時間及び発信者電話番号を固定的にディスプレイするステップとからなることを特徴とするメッセージディスプレイ方法。
【請求項６】
メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、
前記サブボディーが閉じられた状態でメッセージが受信されると、前記第１表示部にメッセージの受信を知らせるインジケータをディスプレイするステップと、
使用者の外部ディスプレイ要求に該当するキー入力が受信されると、前記第１表示部がダブルラインディスプレイモードに設定されるか否かを判断するステップと、
前記第１表示部が前記ダブルラインディスプレイモードに設定されている場合、前記第１表示部の第１ラインに受信されたメッセージをスライディングさせつつディスプレイし、前記第１表示部の第２ラインにメッセージ受信時間及び発信者電話番号を固定的にディスプレイするステップと、
前記第１表示部が前記ダブルラインディスプレイモードに設定されていない場合、前記第１表示部に前記受信されたメッセージをスライディングさせつつディスプレイするステップとからなることを特徴とするメッセージディスプレイ方法。
【請求項７】
前記第１表示部が前記ダブルラインディスプレイモードに設定されていない場合、前記受信されたメッセージに連続して、前記メッセージ受信時間及び発信者電話番号をスライディングさせつつディスプレイすることを特徴とする請求項６記載の前記方法。
【発明の詳細な説明】
【０００１】
【発明の属する技術分野】
本発明は、移動端末機に関し、特に、折り畳みタイプの移動端末機におけるメッセージをディスプレイする方法に関する。
【０００２】
【従来の技術】
一般的に、移動端末機は、バータイプ(bar-type)端末機または折り畳み可能な(foldable)端末機に分けられる。バータイプ端末機は、外部環境に露出したキーパッドを有し、大きすぎるサイズによる不便さのためにはやらなかった。しかし、折り畳み可能な端末機は、メインボディーに設けられたキーパッドを保護し、小型サイズであり、メインボディーとメインボディー(main body)に開閉可能であるように設けられたサブボディー(sub-body)とからなっているので広く使用されている。
【０００３】
通常に、折り畳み可能な端末機は、フリップタイプ(flip-type)端末機、フリップアップタイプ(flip-up-type)端末機、及び折り畳みタイプ(folder-type)端末機に分けられることができる。フリップタイプ端末機は、フリップカバーを有し、メインボディー上に備えられたキーパッドを保護するサブボディーを備え、マイクロフォンが使用者の口に近く位置するようになっているので、使用者は、メインボディーに備えられたマイクロフォンに自分の音声を集中させるようになる。フリップアップタイプ端末機は、フリップカバーをメインボディーの上側に向かって開放されるようにすることができることにその特徴がある。折り畳みタイプ端末機は、サブボディーに設けられたＬＣＤ(ＬＣＤ：Liquid Crystal Display)モジュールを有する。
【０００４】
最近、折り畳みタイプ端末機は、サブボディーの両側に設けられた２つのＬＣＤを含む。そのような折り畳みタイプ端末機は、“デュアルＬＣＤ折り畳みタイプ端末機”と呼ばれる。すなわち、前記デュアルＬＣＤ折り畳みタイプの移動端末機は、サブボディーの外側に設けられた外部フロント(front)ＬＣＤ及びサブボディーの内側に設けられた内部ＬＣＤを含む。外部フロントＬＣＤは、内部ＬＣＤに比べてそのウィンドウサイズが相対的に小さい。一時中止状態(またはスタンドバイ状態)で、デュアルＬＣＤ折り畳みタイプの移動端末機は、外部フロントＬＣＤを使用して、受信された信号強度インジケータ(received signal strength indicator；ＲＳＳＩ)バー、バッテリアイコン、時間及び日付のような情報をディスプレイする。これにより、使用者がサブボディーを開放させることなくそのような情報を得ることができる。呼が受信されるとき、デュアルＬＣＤ折り畳みタイプの移動端末機は、外部フロントＬＣＤに電話が来たことを知らせる特定のアイコンまたはメッセージをディスプレイする。このような状態で、使用者がサブボディーを開放させると呼が連結される。同じように、文字メッセージが受信されると、デュアルＬＣＤ折り畳みタイプの移動端末機は、外部フロントＬＣＤに文字メッセージの受信を知らせる特定のアイコンまたはメッセージをディスプレイする。このような状態で、使用者がサブボディーを開放させると、前記受信された文字メッセージは内部ＬＣＤ上にディスプレイされる。もしも、使用者がサブボディーを開放させないときまで、文字メッセージの受信を示すアイコンは、外部フロントＬＣＤ上に継続してディスプレイされる。すなわち、前記受信された文字メッセージをチェックするために、使用者は、サブボディーを開放させて内部ＬＣＤ上にディスプレイされている文字メッセージを読み出さなければならない不便さがあった。
【０００５】
【発明が解決しようとする課題】
従って、本発明の目的は、デュアルＬＣＤ移動端末機において、使用者が受信メッセージを容易にチェックすることができるメッセージディスプレイ方法を提供することにある。
【０００６】
本発明の他の目的は、デュアルＬＣＤ移動端末機において、サブボディーを開放させることなく、使用者が受信メッセージをチェックすることができるメッセージディスプレイ方法を提供することにある。
【０００７】
【課題を解決するための手段】
このような目的を達成するために、本発明は、メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、前記サブボディーが閉じられた状態でメッセージが受信されると、前記第１表示部にメッセージの受信を知らせるインジケータをディスプレイするステップと、使用者の外部ディスプレイの要求に応じて、前記第１表示部に前記受信されたメッセージをスライディングさせつつディスプレイするステップとからなることを特徴とする。
【０００８】
また、本発明は、メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、前記サブボディーが閉じられた状態でメッセージが受信されると、前記第１表示部にメッセージの受信を知らせるインジケータをディスプレイするステップと、使用者の外部ディスプレイ要求に該当するキー入力が受信されると、前記第１表示部の第１ラインに前記受信されたメッセージをスライディングさせつつディスプレイし、前記第１表示部の第２ラインにメッセージ受信時間及び発信者電話番号を固定的にディスプレイするステップとからなることを特徴とする。
【０００９】
さらに、本発明は、メインボディーと、前記メインボディー上に開閉可能であるように設けられたサブボディーとを有し、前記サブボディーの外側面に第１表示部が備えられ、前記サブボディーの内側面に第２表示部が備えられた折り畳みタイプの移動端末機におけるメッセージをディスプレイする方法において、前記サブボディーが閉じられた状態でメッセージが受信されると、前記第１表示部にメッセージの受信を知らせるインジケータをディスプレイするステップと、使用者の外部ディスプレイ要求に該当するキー入力が受信されると、前記第１表示部がダブルラインディスプレイモードに設定されるか否かを判断するステップと、前記第１表示部が前記ダブルラインディスプレイモードに設定されている場合、前記第１表示部の第１ラインに受信されたメッセージをスライディングさせつつディスプレイし、前記第１表示部の第２ラインにメッセージ受信時間及び発信者電話番号を固定的にディスプレイするステップと、前記第１表示部が前記ダブルラインディスプレイモードに設定されていない場合、前記第１表示部に前記受信されたメッセージをスライディングさせつつディスプレイするステップとからなることを特徴とする。
【００１０】
【発明の実施の形態】
以下、本発明による好適な実施形態を添付図面を参照しつつ詳しく説明する。なお、図面中、同一な構成要素及び部分には、可能な限り同一な符号及び番号を共通使用するものとする。
【００１１】
下記の説明において、本発明の要旨を不明瞭にする公知の機能及び構成に対する詳細な説明は省略する。
【００１２】
図１Ａは、本発明が適用されるデュアルＬＣＤ折り畳みタイプ移動端末機１００のサブボディー１２０がメインボディー１１０上に閉じられた状態を示す。図１Ｂは、デュアルＬＣＤ折り畳みタイプ移動端末機１００のサブボディー１２０がメインボディー１１０から開放された状態を示す。
【００１３】
図１Ａ及び図１Ｂを参照すると、デュアルＬＣＤ折り畳みタイプ移動端末機１００は、ヒンジ装置１０１と、上部ケーシングフレーム１１１及び下部ケーシングフレーム１１２からなるメインボディー１１０と、前記メインボディー１１０に設けられたキーパッド１６０を保護するためのサブボディー１２０とを含む。ヒンジ装置１０１は、メインボディー１１０をサブボディー１２０に機械的に連結させる。メインボディー１１０の一側部には、ボリュームアップ／ダウン機能キー１８０が備えられている。そして、メインボディー１１０の上端の一側には、アンテナ装置１３０が設けられている。図１Ｂに示すように、メインボディー１１０の下端に接したサブボディー１２０は、サブボディー１２０の上部に設けられたイヤホーン１４０を有し、イヤホーン１４０の下側には、内部ＬＣＤ１５０が備えられる。また、図１Ａに示すように、サブボディー１２０の外側には外部フロントＬＣＤ１９０が備えられている。前記メインボディー１１０上にはキーパッド１６０及びマイク装置１７０が位置している。
【００１４】
図２は、デュアルＬＣＤ折り畳みタイプ移動端末機１００の概略的なブロック図を示す。図２を参照すると、制御部２００は、デュアルＬＣＤ折り畳みタイプ移動端末機１００の全般的な動作を制御する。ＲＦ(Radio Frequency)モジュール２０２は、制御部２００の制御下に音声データ及びシグナリングデータの送受信を遂行する。音声処理部２０４は、制御部２００の制御下で、ＲＦモジュール２０２から受信されたディジタルオーディオデータをアナログオーディオ信号に変換し、可聴音としてのスピーカＳＰＫを通じて前記変換されたオーディオ信号を出力する。また、マイクロフォンＭＩＣから受信された音声信号をディジタルオーディオデータに変換し、前記変換されたディジタルオーディオデータをＲＦモジュール２０２に出力する。キー入力部２０６は、多数の数字キー及び機能キーを備えており、使用者が押すキーに対応するキー入力データを制御部２００に出力する。ＬＣＤ駆動部２０８は、制御部２００の制御下で各種メッセージなどを外部フロントＬＣＤ１９０及び／または内部ＬＣＤ１５０上にディスプレイする。メモリ部２１０は、デュアルＬＣＤ折り畳みタイプ移動端末機の動作を制御するとき使用されたプログラムデータを貯蔵するためのプログラムメモリと、使用者による入力または制御動作のとき発生するデータを貯蔵するためのデータメモリとを含んでいる。センサー２１２は、デュアルＬＣＤ折り畳みタイプ移動端末機１００のサブボディー１２０が開放された状態を感知して制御部２００に感知信号を印加する。
【００１５】
本発明の実施形態では、文字メッセージまたは放送メッセージなどのメッセージが受信されるとき、デュアルＬＣＤ折り畳み移動端末機は、前記受信メッセージを外部フロントＬＣＤ１９０にディスプレイする。その結果、使用者は、内部ＬＣＤ１５０上のメッセージを確認するために、サブボディーを開放しなくとも前記受信メッセージのチェック(または読出し)を行うことができる。受信メッセージの内容をディスプレイするときは、外部フロントＬＣＤ１９０のウィンドウサイズが内部ＬＣＤ１５０のウィンドウサイズに比べて相対的に小さいことを考慮して、デュアルＬＣＤ折り畳みタイプの移動端末機は、受信されたメッセージをスライディングさせつつ外部フロントＬＣＤ１９０上にディスプレイする。
【００１６】
図３は、本発明の実施形態によるデュアルＬＣＤ折り畳みタイプの移動端末機におけるメッセージをディスプレイするための手順を示す。図３の手順は、制御部２００によって遂行される。
【００１７】
図４は、本発明の実施形態によるデュアルＬＣＤ折り畳みタイプ移動端末機の外部フロントＬＣＤ１９０にディスプレイされる画面配置を示す。
【００１８】
以下、図１Ａ乃至図４を参照して、本発明の実施形態による動作を詳細に説明する。
【００１９】
文字メッセージ及び放送メッセージのようなメッセージが受信されるとき、ステップ３００で、前記制御部２００は、前記受信されたメッセージを確認した後、ステップ３０２に進行する。ステップ３０２で、制御部２００は、外部フロントＬＣＤ１９０及び内部ＬＣＤ１５０にメッセージ受信を知らせるアイコンをディスプレイする。移動端末機１００のランプ(図示せず)は、メッセージ受信を知らせる点滅(またはブーザ音の発生)などを遂行する。本発明に属する当業者は、使用者に移動端末機のメッセージ受信を知らせる現在使用されている手段が本発明でも使用されることができることを認識している。望ましくは、メッセージ受信を知らせるアイコンは、図４に示すように、外部フロントＬＣＤ１９０のウィンドウＷ１にディスプレイされた葉書形態を有する。
【００２０】
その後、制御部２００は、ステップ３０４に進行して受信されたメッセージをメモリ部２１０に貯蔵する。前記受信されたメッセージは、メッセージの受信時間及び発信者電話番号とともに貯蔵されることが望ましい。ステップ３０６で、制御部２００は、サブボディー１２０を開放したか否かを判断する。制御部２００は、センサー２１２の出力信号を基づいてサブボディー１２０の開放状態を確認することができる。
【００２１】
もしも、使用者がサブボディー１２０を開放した場合、ステップ３０８で、前記制御部２００は、現行のメッセージディスプレイ方法を遂行する。すなわち、ステップ３０８で、制御部２００は、メッセージの受信時間及び発信者の電話番号とともに受信されたメッセージを内部ＬＣＤ１５０の単一画面にディスプレイする。
【００２２】
しかし、ステップ３０６で、使用者がサブボディー１２０を開放しない場合、ステップ３１０に進行して、制御部２００は、外部ディスプレイ要求が使用者から受信されたか否かを判断する。使用者は、サブボディー１２０を開放せず受信メッセージを確認したいとき外部ディスプレイ要求を行う。前記外部ディスプレイ要求は、前記デュアルＬＣＤ折り畳みタイプ移動端末機の外側に備えられたキーうちの１つを押すことによってなされることが望ましい。本発明における当業者は、どんな種類のキー入力も外部ディスプレイ要求のために使用可能であることを認識している。例えば、制御部２００は、サブボディー１２０が閉じられた状態で、使用者が図１Ａに示したボリュームアップ／ダウン機能キー１８０を押すと外部ディスプレイ要求を認識する。
【００２３】
ステップ３１０で、使用者から外部ディスプレイ要求を受信すると、制御部２００は、ステップ３１２に進行して、外部フロントＬＣＤ１９０がダブルラインディスプレイモードに設定されるか否かを判断する。前述したように、外部フロントＬＣＤ１９０のウィンドウサイズは、内部プリントＬＣＤ１５０のウィンドウサイズに比べて相対的に小さい。例えば、外部フロントＬＣＤ１９０は、メッセージがシングルラインまたはダブルラインしかディスプレイされることができない程度でそのウィンドウサイズが小さい。そこで、外部フロントＬＣＤ１９０がシングルラインのウィンドウサイズを有すると、シングルラインディスプレイモードに固定的に設定されるのであろう。しかし、外部フロントＬＣＤ１９０がダブルラインのウィンドウサイズを有すると、シングルラインまたはダブルラインディスプレイモードのうちの１つに設定されるのであろう。外部フロントＬＣＤ１９０がカラーグラフィックＬＣＤである場合、設定ディスプレイモードによって、シングルラインまたはダブルラインのうちの１つにメッセージをディスプレイすることができる。外部フロントＬＣＤ１９０のウィンドウサイズに無関係に、前記カラーグラフィックＬＣＤは、ドットマットリックスディスプレイ技術を支援する。
【００２４】
ステップ３１２で、外部フロントＬＣＤ１９０がダブルラインディスプレイモードに設定されている場合、制御部２００は、ステップ３１４に進行して、メモリ部２１０からのメッセージ受信時間及び発信者電話番号とともに前記受信メッセージを読み出し、外部フロントＬＣＤ１９０上にメッセージ受信時間及び発信者電話番号を固定的にディスプレイし、前記受信されたメッセージをスライディングさせつつディスプレイする。図４に示す実施形態において、使用者からの外部ディスプレイ要求を受信すると、制御部２００は、受信メッセージを外部フロントＬＣＤ１９０のウィンドウＷ２の第１ラインＬ１に左側にスライディングさせつつディスプレイし、メモリ部２１０に貯蔵された、関連するメッセージの受信時間及び発信者電話番号を外部フロントＬＣＤ１９０のウィンドウＷ２の第２ラインＬ２に固定的にディスプレイする。他の実施形態として、前記ウィンドウＷ２の第１ラインＬ１には受信メッセージをスライディングさせつつディスプレイし、ウィンドウＷ２の第２ラインＬ２にはメッセージ受信時間及び発信者電話番号のうちの１つのみディスプレイすることができ、すべてディスプレイしなくてもいい。そして、第２ラインＬ２にメッセージ受信時間及び発信者電話番号をスライディングさせつつディスプレイすることもできる。
【００２５】
一方、ステップ３１２で、外部フロントＬＣＤ１９０がダブルラインディスプレイモードに設定されていない場合、制御部２００は、ステップ３１６に進行して、メモリ部２１０から関連したメッセージ受信時間及び発信者電話番号とともに受信メッセージを読み出し、外部フロントＬＣＤ１９０上に受信メッセージに連続してメッセージ受信時間及び発信者電話番号をスライディングさせつつディスプレイする。図４に示す実施形態において、使用者から外部ディスプレイ要求を受信すると、制御部２００は、受信メッセージ、メッセージ受信時間、及び発信者電話番号を左側にスライディングさせつつ、外部フロントＬＣＤ１９０のウィンドウＷ２’にディスプレイする。他の例として、メッセージ受信時間及び発信者電話番号のうちの１つのみディスプレイされることもでき、またはすべてがディスプレイされないようにできる。
【００２６】
本発明の実施形態では、外部フロントＬＣＤ１９０が同一のウィンドウ(またはスクリーン)上に受信メッセージをディスプレイすることができない程度でそのサイズが非常に小さいから、外部フロントＬＣＤ１９０は、前記受信メッセージをスライディングさせつつディスプレイする。外部フロントＬＣＤ１９０に受信メッセージをスライディングさせる方法は次のようである。制御部２００は、１００ｍｓのタイマを設定した後、左側にディスプレイされた文字をシフトする。そして、１００ｍｓのインタラップトが発生するときごと、外部フロントＬＣＤ１９０上にディスプレイされるべき文字を１バイトずつ左側に連続してシフトすることにより、前記受信メッセージをスライディングさせる。また、発信者電話番号のような受信メッセージの終わりの文字がディスプレイされた場合、受信メッセージが左側に連続してシフトしない。例えば、発信者電話番号の終わりの数字、例えば、１２３-４５６-７８９０の“０”は、外部フロントＬＣＤ１９０上にディスプレイされ、受信メッセージに関連した文字は、外部フロントＬＣＤ１９０上にそれ以上表示されないであろう。
【００２７】
ステップ３１４またはステップ３１６の動作が行われる間、使用者は、スライディングされる受信メッセージのすべてを確認することができる。また、使用者は、メッセージ受信時間及び発信者電話番号も確認することができる。
【００２８】
このような状態で、使用者が外部ディスプレイ解除要求を行う場合、ステップ３１８で、制御部２００は、外部ディスプレイ解除要求を確認した後、ステップ３２０に進行する。外部ディスプレイ解除要求は、デュアルＬＣＤ折り畳みタイプ移動端末機の外側に設けられたキーのうちの１つを押すことによってなされることが望ましい。例えば、制御部２００は、外部フロントＬＣＤ１９０に受信メッセージがスライディングされつつディスプレイされている状態で、使用者が図１Ａに示したボリュームアップ／ダウン機能キー１８０を押すと、外部ディスプレイ解除要求を認識するようになる。
【００２９】
外部ディスプレイ解除要求を受信する場合、制御部２００は、ステップ３２０に進行して、外部フロントＬＣＤ１９０に正常の画面をディスプレイする。例えば、制御部２００は、図４のウィンドウＷ３に示すように、外部フロントＬＣＤ１９０にＲＳＳＩバー、バッテリアイコン、日付、曜日、及び現在時間をディスプレイする。
【００３０】
前述の如く、本発明の詳細な説明では具体的な実施形態を参照して詳細に説明してきたが、本発明の思想を外れない範囲内では、様々な変形及び変更が可能であるということは当該技術分野における通常の知識を有する者であれば、自明であろう。
【００３１】
【発明の効果】
以上から述べてきたように、本発明は、使用者がサブボディーを開放しなくとも、デュアルＬＣＤタイプ移動端末機の外部フロントＬＣＤにディスプレイされた受信メッセージ及び放送メッセージのようなメッセージを容易にチェックすることができる。
【図面の簡単な説明】
【図１Ａ】  デュアルＬＣＤ折り畳みタイプ移動端末機のサブボディーが閉じられた状態を示す斜視図である。
【図１Ｂ】  デュアルＬＣＤ折り畳みタイプ移動端末機のサブボディーが開放された状態を示す斜視図である。
【図２】  デュアルＬＣＤ折り畳みタイプの移動端末機を示す概略的なブロック図である。
【図３】  本発明の実施形態によるデュアルＬＣＤ折り畳みタイプの移動端末機におけるメッセージをディスプレイする手順を示すフローチャートである。
【図４】  本発明の実施形態によるデュアルＬＣＤ折り畳みタイプ移動端末機の外部フロントＬＣＤにディスプレイされる画面配置を示す図である。
【符号の説明】
１００  デュアルＬＣＤ折り畳みタイプの移動端末機
１０１  ヒンジ装置
１１０  メインボディー
１１１  上部ケーシングフレーム
１１２  下部ケーシングフレーム
１２０  サブボディー
１３０  アンテナ装置
１４０  イヤホーン
１５０  内部ＬＣＤ
１６０  キーパッド
１７０  マイクロフォン
１８０  ボリュームアップ／ダウン機能キー
１９０  外部フロントＬＣＤ
２００  制御部
２０２  ＲＦモジュール
２０４  音声処理部
２０６  キー入力ユニット
２０８  ＬＣＤ駆動部
２１０  メモリ部
２１２  センサー
【図１Ａ】
0003814172.tif 000002
【図１Ｂ】
0003814172.tif 000003
【図２】
0003814172.tif 000004
【図３】
0003814172.tif 000005
【図４】
0003814172.tif 000006